(57)【要約】【課題】海に投下された漁網を効率的に引き揚げながら、発生した「弛み網」を解消することが可能な漁網用揚網装置を提供する。【解決手段】左右両側の支持枠１１、１２の間に設けられて回転駆動されるＶ形ドラム１３と、Ｖ形ドラム１３の溝部１４にある漁網１５を押圧する押さえローラ１６とを有する漁網用揚網装置１０であって、Ｖ形ドラム１３の回転中心又はその近傍に回動基部を備え、該回動基部に第１の駆動源２１によって回動可能な第１のアーム２２の基側を取付け、Ｖ形ドラム１３の軸心より低い位置にある第１のアーム２２の先側に第１の軸受ハウジング２３を介して、ドラム２４ａとその両側に配置された側板３８、３８aを有する補助揚網ローラ２４を回転可能に設け、ドラム２４ａ内にＶ形ドラム１３の幅方向の中心を位置させて配置している。【選択図】図３
0003135281.tif 000002
【実用新案登録請求の範囲】
【請求項１】
左右両側の支持枠の間に設けられて回転駆動されるＶ形ドラムと、該Ｖ形ドラムの溝部にある漁網を押圧する押さえローラとを有する漁網用揚網装置であって、
前記Ｖ形ドラムの回転中心又はその近傍に回動基部を備え、該回動基部に第１の駆動源によって回動可能な第１のアームの基側を取付け、前記Ｖ形ドラムの軸心より低い位置にある前記第１のアームの先側に第１の軸受ハウジングを介して、ドラムとその両側に配置された側板を有する補助揚網ローラを回転可能に設け、前記ドラム内に前記Ｖ形ドラムの幅方向の中心を位置させて配置したことを特徴とする漁網用揚網装置。
【請求項２】
請求項１記載の漁網用揚網装置において、回転駆動される前記押さえローラは、一方の前記支持枠の上側にその基部が回動可能に配置された第２のアームの先部に第２の軸受ハウジングを介して設けられ、前記第２のアームの中間部と前記第１のアームの中間部にその両端が取付けられている第２の駆動源によって前記補助揚網ローラにある前記漁網を押圧することを特徴とする漁網用揚網装置。
【請求項３】
請求項２記載の漁網用揚網装置において、前記第１のアームは「く」字状に曲がって、その曲がり部に前記第２の駆動源の一端が取付けられていることを特徴とする漁網用揚網装置。
【請求項４】
請求項２及び３のいずれか１項に記載の漁網用揚網装置において、前記補助揚網ローラ及び前記押さえローラは、それぞれ前記第１、第２の軸受ハウジングに偏心して取付けられている第１、第２のモータによって回転駆動されていることを特徴とする漁網用揚網装置。
【請求項５】
請求項１〜４のいずれか１項に記載の漁網用揚網装置において、前記補助揚網ローラは中央の固定軸で連結される左右の枠フレームを有し、該枠フレームに前記漁網のガイド部材が設けられていることを特徴とする漁網用揚網装置
【請求項６】
請求項１〜５のいずれか１項に記載の漁網用揚網装置において、前記押さえローラの外輪にはゴム製タイヤが使用されていることを特徴とする漁網用揚網装置。
【請求項７】
請求項１〜６のいずれか１項に記載の漁網用揚網装置において、前記支持枠の上部には吊下げ用取付け部材が設けられていることを特徴とする漁網用揚網装置。
【請求項８】
請求項１〜６のいずれか１項に記載の漁網用揚網装置において、前記支持枠の下部には固定用取付けベースが設けられていることを特徴とする漁網用揚網装置。
【考案の詳細な説明】
【技術分野】
【０００１】
本考案は、海に投下された漁網を効率的に引き揚げる漁網用揚網装置に関する。
【背景技術】
【０００２】
従来、海に投下された漁網を回収するには、例えば、海外巻網漁船の場合、揚網機を先側に取付け船尾側に設けられている傾動マストを一定の角度範囲内で往復傾動させながら揚網機で漁網を漁船上に引き揚げている。ここで、揚網機は、漁網をＶ字状の溝が中央に形成された回転する胴部の一部に巻き付けながら通過させるＶ形ドラムと、胴部に巻きついた漁網を回転しながら押圧するタイヤ式の押えローラにより構成されている（例えば、特許文献１参照）。
【０００３】
【特許文献１】特開平８−１５４５３６号公報
【考案の開示】
【考案が解決しようとする課題】
【０００４】
しかしながら、特許文献１では、Ｖ形ドラムに漁網を巻き付けて引き揚げる際に、Ｖ形ドラムと漁網の間にスリップが生じると、漁網に擦れ摩耗（すなわち、漁網を構成している網、網の縦方向両側に隙間を設けて取付けられている浮子及び沈子の擦れ摩耗）が発生すると共に、Ｖ形ドラムの溝内に取付けた、例えばゴム製のドラム摩擦材にも擦れ摩耗が発生し、漁網及びドラム摩擦材の寿命が短くなるという問題がある。また、スリップにより、漁網の揚網効率が低下し、揚網に要する時間が長くなるという問題も生じる。そして、漁獲量が少ない場合は、海中の漁網を速やかに引き揚げ次の操業の準備をすることが操業コストを下げることにもなり、また、操業途中で天候が急変した場合では安全操業確保の意味からも、速やかな揚網が求められている。
【０００５】
一方、漁網は、網の位置によって浮子から沈子までの網丈に違いがあり、網丈の長い部分を引き揚げる場合、網丈の短い部分の引き揚げと比べて網かさが増え、網丈の長い部分も網丈の短い部分も同じようにＶ形ドラムを通過することができない。従って、網丈の長い部分では、例えば、浮子に対して沈子が遅れて引き揚げられる、すなわち、網揚りに遅れが生じる「弛み網」の現象が発生し、引き揚げた漁網を均一に積み重ねることができない。そして、漁船に漁網を均一に積み重ねないと、次の投網の際に破網につながり、操業に支障を来すことになる。そこで、漁網の引き揚げに際して発生する「弛み網」を、漁網の引き揚げを行ないながら解消することが求められている。
【０００６】
本考案はかかる事情に鑑みてなされたもので、海に投下された漁網を効率的に引き揚げながら、発生した「弛み網」を解消することが可能な漁網用揚網装置を提供することを目的とする。
【課題を解決するための手段】
【０００７】
前記目的に沿う本考案に係る漁網用揚網装置は、左右両側の支持枠の間に設けられて回転駆動されるＶ形ドラムと、該Ｖ形ドラムの溝部にある漁網を押圧する押さえローラとを有する漁網用揚網装置であって、
前記Ｖ形ドラムの回転中心又はその近傍に回動基部を備え、該回動基部に第１の駆動源によって回動可能な第１のアームの基側を取付け、前記Ｖ形ドラムの軸心より低い位置にある前記第１のアームの先側に第１の軸受ハウジングを介して、ドラムとその両側に配置された側板を有する補助揚網ローラを回転可能に設け、前記ドラム内に前記Ｖ形ドラムの幅方向の中心を位置させて配置している。
【０００８】
本考案に係る漁網用揚網装置において、回転駆動される前記押さえローラは、一方の前記支持枠の上側にその基部が回動可能に配置された第２のアームの先部に第２の軸受ハウジングを介して設けられ、前記第２のアームの中間部と前記第１のアームの中間部にその両端が取付けられている第２の駆動源によって前記補助揚網ローラにある前記漁網を押圧することができる。
【０００９】
本考案に係る漁網用揚網装置において、前記第１のアームは「く」字状に曲がっていてもよく、その場合曲がり部に前記第２の駆動源の一端が取付けられていることが好ましい。
また、前記補助揚網ローラ及び前記押さえローラは、それぞれ前記第１、第２の軸受ハウジングに偏心して取付けられている第１、第２のモータによって回転駆動されていることが好ましい。
【００１０】
本考案に係る漁網用揚網装置において、前記補助揚網ローラは中央の固定軸で連結される左右の枠フレームを有し、該枠フレームに前記漁網のガイド部材が設けられているのが好ましい。
また、前記押さえローラの外輪にはゴム製タイヤが使用されていることが好ましい。
【００１１】
本考案に係る漁網用揚網装置において、前記支持枠の上部には吊下げ用取付け部材を設けることができる。
また、前記支持枠の下部に固定用取付けベースを設けてもよい。
【考案の効果】
【００１２】
請求項１〜８記載の漁網用揚網装置においては、Ｖ形ドラムと補助揚網ローラを通過する漁網を押えローラで押圧することができ、補助揚網ローラと押えローラによりＶ形ドラムを通過する漁網を引くことができる。このため、Ｖ形ドラムと漁網の間に生じる摩擦力を増大させることができ、漁網を引き揚げる際に漁網のスリップを減少させることができ、漁網の揚網効率を向上させることができる。
【００１３】
特に、請求項２記載の漁網用揚網装置においては、第１、第２の駆動源を連動させることにより、Ｖ形ドラム、押えローラ、及び補助揚網ローラの各軸心の相対高さ位置を調整することができ、押えローラの軸心高さを高くして、漁網の押圧を解除すると、Ｖ形ドラムと漁網、補助揚網ローラと漁網の間にそれぞれ生じている摩擦力が低下し、漁網の中でスリップし難い網部分を優先的に引き揚げることができる。そして、補助揚網ローラの軸心高さを上昇させると、Ｖ形ドラムから離脱する際の漁網の進行方向と水平線とのなす角度が低下し、Ｖ形ドラムと漁網の間に生じている摩擦力が更に低下するので、補助揚網ローラの軸心高さ位置を調整することで漁網の網部分の引き揚げ加減を調整できる。また、補助揚網ローラの軸心高さを更に上げて補助揚網ローラを通過する漁網を押えローラで押圧できるようにすると、Ｖ形ドラムを通過する漁網の網部分を強制的に引くことができ、漁網に生じている弛みを効率的に解消できる。
【００１４】
請求項３記載の漁網用揚網装置においては、第１のアームの「く」字状の曲がり部に第２の駆動源の一端を取付けるので、第２の駆動源としてより長さのあるもの（例えば、シリンダを使用する場合はストロークの長いもの）を取付けることができ、動作にその分の余裕が生まれる。
【００１５】
請求項４記載の漁網用揚網装置においては、第１のモータで補助揚網ローラを、第２のモータで押さえローラをそれぞれ回転駆動するので、押さえローラ及び補助揚網ローラの周速度を個別に調整でき、漁網を弛みなく又は漁網に弛みを設けながら引き揚げることができる。
【００１６】
請求項５記載の漁網用揚網装置においては、漁網のガイド部材が設けられているので、漁網が補助揚網ローラを通過する際に脱落するのを防止でき、漁網の排出方向を規制することができる。
【００１７】
請求項６記載の漁網用揚網装置においては、ゴム製タイヤで漁網を押圧するので、漁網との摩擦力が増大して、漁網のスリップを低減することができる。
【００１８】
請求項７記載の漁網用揚網装置においては、吊下げ用取付け部材を介して漁船の傾動マストに吊下げることにより、引き揚げられる漁網の進行方向に対向するようにＶ形ドラムを配置することができ、漁網に加わる負荷を低減させながら漁網の揚網効率を向上することができる。
【００１９】
請求項８記載の漁網用揚網装置においては、固定用取付けベースを介して漁船の船尾側に取付けることにより、引き揚げられる漁網の負荷が吊り下げと比して低重心となり、荒天時の揚網では安全操業が更に確保できる。
【考案を実施するための最良の形態】
【００２０】
続いて、添付した図面を参照しつつ、本考案を具体化した実施の形態につき説明し、本考案の理解に供する。
ここで、図１は本考案の第１の実施の形態に係る漁網用揚網装置を漁船の傾動マストに吊り下げた状態を示す説明図、図２は同漁網用揚網装置の正面図、図３は同漁網用揚網装置の側面図、図４は同漁網用揚網装置の正断面図、図５〜図８は同漁網用揚網装置の使用方法の説明図、図９は本考案の第２の実施の形態に係る漁網用揚網装置を漁船の船尾に取付けた状態を示す説明図である。
【００２１】
図１、図２に示すように、本考案の第１の実施の形態に係る漁網用揚網装置１０は、左右両側の支持枠１１、１２と、支持枠１１、１２の間に設けられ回転駆動されるＶ形ドラム１３と、Ｖ形ドラム１３の溝部１４にある漁網１５を押圧する押さえローラ１６とを有している。そして、支持枠１１、１２の上部にはこれらを連結する吊下げ用取付け部材１７が設けられて、漁船１８の船尾側に設けられた傾動マスト１９の先側に吊り下げられている。以下詳細に説明する。
【００２２】
図３に示すように、Ｖ形ドラム１３の固定軸２０（図４参照）の一側（支持枠１１側）に回動基部を構成する軸受が設けられ、この回動基部に第１の駆動源の一例である流体圧シリンダ２１によって回動可能な第１のアーム２２の基側が取付けられている。そして、Ｖ形ドラム１３の軸心より低い位置にある第１のアーム２２の先側には、第１の軸受ハウジング２３がある。この第１の軸受ハウジング２３には固定軸３４の一端が取付けられ、この固定軸３４の他端には第１の軸受ハウジング２３と対となる別の第１の軸受ハウジング２３ａが設けられている。固定軸３４には、補助揚網ローラ２４のドラム２４ａが回転自由に支持され、このドラム２４ａの両側には側板３８、３８ａが軸受（ベアリング）３５、３５ａを介して回転自由に取付けられている。なお、前記したＶ形ドラム１３の幅方向の中心が前記ドラム２４ａの幅方向中心位置と実質的に（幅方向距離の１／１０の精度で）一致している。なお、Ｖ形ドラム１３の幅方向の中心は、前記ドラム２４ａの幅方向内にあればよい。
【００２３】
図４に示すように、Ｖ形ドラム１３を支持する固定軸２０の両側を支持する第３の軸受ハウジング２８、２８ａが左右の支持枠１１、１２にそれぞれ取付けられている。固定軸２０の中央には軸受ケース２７ｂが設けられ、軸受ケース２７ｂの両側に設けられた軸受２７、２７ａによってＶ形ドラム１３が回転自由に支持されている。このＶ形ドラム１３は、隙間を有し対向配置された円錐台状の側板３１、３１ａを有し、この側板３１、３１ａの内側には、ゴム製の摩擦部材３３、３３ａがそれぞれ放射状に固定されている。
一方の側板３１の外側には内周歯３２が設けられ、支持枠１１に偏心して設けられている第３のモータ（例えばピストンモータ）２９の出力軸に設けられている小歯車３０が噛合し、第３のモータ２９の回転によってＶ形ドラム１３が回転駆動される構造となっている。
【００２４】
このような構成とすることにより、第３のモータ２９を回転させることにより、固定軸２０に回転自在に支えられているＶ形ドラム１３を回転させることができる。そして、漁網１５を溝部１４の内側で回転している摩擦部材３３、３３ａに押し当てると、漁網１５と摩擦部材３３、３３ａの間に摩擦力が発生し、漁網１５を引き揚げることができる。
【００２５】
図２、図４に示すように、補助揚網ローラ２４の中央の固定軸３４の一側を支持する軸受３５を収納する第１の軸受ハウジング２３の偏心した位置には、第１のモータ（例えばベーンモータ）５０が設けられ、第１のモータ５０の出力軸に取付けられた小歯車３７は、補助揚網ローラ２４の一側の側板３８の内周部内側に設けられた外周歯３９と噛合している。また、補助揚網ローラ２４のドラム２４ａの外周部、一側の側板３８及び他側の側板３８ａには、例えばゴム製の摩擦部材（図示せず）が装着されている。
【００２６】
更に、補助揚網ローラ２４は固定軸３４で連結される左右の（円形）枠フレーム４０、４１を有し、枠フレーム４０、４１に漁網１５のガイド部材４２、４３が設けられている。このガイド部材４２、４３はコ字状となって、半径方向外側は斜めに広がり、更に、コ字状のガイド部材４２、４３の円周方向両側には、補強ロッドが設けられている。
ここで、第１のアーム２２は「く」字状に曲がって、その曲がり部２５に流体圧シリンダ２１の一端が取付け金具を介して取付けられ、流体圧シリンダ２１の他端は第３の軸受ハウジング２８に取付け金具を介して取付けられている。これによって、流体圧シリンダ２１を駆動させることで、第１のアーム２２を固定軸２０の回りで回動することができ、Ｖ形ドラム１３の軸心位置に対して補助揚網ローラ２４の軸心位置を回動させることができる。
【００２７】
このような構成とすることにより、第１のモータ５０を回転させることにより、固定軸３４に回転自在に支えられている補助揚網ローラ２４を回転させることができる。そして、漁網１５を回転している補助揚網ローラ２４の外周部に押し当てると、漁網１５と補助揚網ローラ２４の外周部の間に摩擦力が発生し、Ｖ形ドラム１３を通過する漁網１５に引っ張り力を与えることができる。そして、ガイド部材４２、４３が設けられていることにより、漁網１５が補助揚網ローラ２４を通過する際に脱落するのを防止でき、漁網１５の排出方向を規制することができる。また、補助揚網ローラ２４の軸心高さを上昇させてＶ形ドラム１３の軸心高さとの差を小さくすると、Ｖ形ドラム１３から離脱する際の漁網１５の進行方向と水平線とのなす角度を小さくでき、Ｖ形ドラム１３と漁網１５の間に生じている摩擦力を低下できる。このため、補助揚網ローラ２４の軸心高さ位置を調整することで漁網１５の引き揚げ加減を調整できる。
【００２８】
図２、図３、図４に示すように、押さえローラ１６は、支持枠１１の上側にその基部が回動可能に配置された第２のアーム４４の先部に第２の軸受ハウジング４５を介して設けられている。そして、第２のアーム４４の中間部と第１のアーム２２の中間部（曲がり部２５）には、第２の駆動源の一例である流体圧シリンダ４６の両端部が接続されている。ここで、押さえローラ１６の外輪にはゴム製タイヤ４７が使用され、ゴム製タイヤ４７の一側には回転筒４８が取付けられ、第２の軸受ハウジング４５内に収納された軸受４９により固定軸４８ａに対し回転可能に支持されている。また、第２の軸受ハウジング４５の偏心した位置には、第２のモータ（例えばベーンモータ）３６が設けられ、第２のモータ３６の出力軸に取付けられた小歯車５１が、回転筒４８に設けられた外周歯５２と噛合している。
【００２９】
このような構成とすることにより、第２のモータ３６を回転させることにより、回転筒４８を介してゴム製タイヤ４７を回転させることができる。また、流体圧シリンダ２１、４６を連携して駆動させることにより、Ｖ形ドラム１３と補助揚網ローラ２４を通過する漁網１５を押さえローラ１６（ゴム製タイヤ４７）で同時に押圧することができ、Ｖ形ドラム１３と漁網１５間の摩擦力、ゴム製タイヤ４７と漁網１５間の摩擦力を増大させることにより、Ｖ形ドラム１３と押さえローラ１６で漁網１５を引き揚げると共に、Ｖ形ドラム１３と押さえローラ１６の間を通過する漁網１５を、補助揚網ローラ２４と押えローラ１６により引くことができる。更に、流体圧シリンダ２１、４６を連携駆動させて、補助揚網ローラ２４を通過する漁網１５のみを押さえローラ１６（ゴム製タイヤ４７）で押圧するようにすると、Ｖ形ドラム１３を通過する漁網１５の網部分を強制的に引くことができる。
【００３０】
続いて、本考案の第１の実施の形態に係る漁網用揚網装置１０の使用方法について説明する。
図５（Ａ）に示すように、格納状態で傾動マスト１９の先側に吊下げ用取付け部材１７を介して吊り下げられている漁網用揚網装置１０において、先ず、流体圧シリンダ２１を最大ストローク位置まで駆動させることで第１のアーム２２を回動させ、Ｖ形ドラム１３の軸心位置に対して補助揚網ローラ２４の軸心位置を下降させる。次いで、流体圧シリンダ２１を最大ストローク位置まで駆動させた状態で、流体圧シリンダ４６を最大ストローク位置まで駆動させることで第２のアーム４４を回動させ、Ｖ形ドラム１３の軸心位置に対して押さえローラ１６の軸心位置を上昇させる。これにより、漁網用揚網装置１０は、図５（Ｂ）に示す揚網開始可能状態になる。そして、漁網１５の先端に結びつけたロープ５３を、Ｖ形ドラム１３の溝部１４及び補助揚網ローラ２４の外周部を通過させてから巻取ることにより、漁網１５の先側をＶ形ドラム１３の溝部１４内に引き込む。なお、溝部１４内に引き込まれた漁網１５は、溝部１４の底側に網５４部分が、上部側に浮子５５が配置される。
【００３１】
漁網１５の先側がＶ形ドラム１３の溝部１４内に引き込まれた状態で第１〜第３のモータ５０、３６、２９を駆動させて、補助揚網ローラ２４、押さえローラ１６、Ｖ形ドラム１３を回転させる。Ｖ形ドラム１３と補助揚網ローラ２４を回転させると、漁網１５とＶ形ドラム１３及び補助揚網ローラ２４の間にそれぞれ摩擦力が発生し、漁網１５の引き揚げが開始される。そして、図６に示すように、流体圧シリンダ２１を最大ストローク位置に保持した状態で、流体圧シリンダ４６を縮めると、第２のアーム４４が回動して押さえローラ１６がＶ形ドラム１３及び補助揚網ローラ２４に接近する。その結果、Ｖ形ドラム１３と補助揚網ローラ２４を通過する漁網１５を押さえローラ１６のゴム製タイヤ４７で同時に押圧することができ、Ｖ形ドラム１３と漁網１５間の摩擦力、ゴム製タイヤ４７と漁網１５間の摩擦力が増大する。このため、Ｖ形ドラム１３と押さえローラ１６で漁網１５を引き揚げることができると共に、Ｖ形ドラム１３と押さえローラ１６の間を通過する漁網１５を、補助揚網ローラ２４と押えローラ１６により更に引くことができる。このため、漁網１５を引き揚げる際に漁網１５のスリップを減少させることができ、漁網１５の揚網効率を向上させることができる。
【００３２】
漁網１５の引き揚げにおいて、網５４丈の長い部分の引き揚げが行なわれるようになると、Ｖ形ドラム１３の溝部１４内に収容できる網かさは一定なので、網５４部分の引き揚げに遅れが生じて「弛み網」の現象が顕著になる。そこで、図７に示すように、流体圧シリンダ４６を伸ばして第２のアーム４４を回動させて押えローラ１６をＶ形ドラム１３と補助揚網ローラ２４を通過する漁網１５から離脱させる。これにより、Ｖ形ドラム１３と漁網１５、補助揚網ローラ２４と漁網１５の間にそれぞれ生じている摩擦力が低下して浮子５５にスリップが生じ、スリップし難い網５４部分を優先的に引き揚げることができる。また、流体圧シリンダ４６のストロークを保持した状態で、流体圧シリンダ２１を縮めて第１のアーム２２を回動させ補助揚網ローラ２４の軸心高さを上昇させると、Ｖ形ドラム１３から離脱する際の漁網１５の進行方向と水平線とのなす角度が低下して、Ｖ形ドラム１３と漁網１５の間に生じている摩擦力を更に低下させることができる。その結果、浮子５５のスリップを促進させて、網５４部分だけを引き揚げることができる。これにより、漁網１５に生じた軽微な弛みは解消できる。
【００３３】
ここで、図８に示すように、流体圧シリンダ２１を更に縮めて第１のアーム２２を回動させ補助揚網ローラ２４の軸心高さを更に上昇させると、Ｖ形ドラム１３から離脱する際の漁網１５の進行方向と水平線とのなす角度がまた低下して、Ｖ形ドラム１３と漁網１５の間に生じている摩擦力を更に低下させることができる。その結果、浮子５５のスリップが激しくなって、網５４部分だけの引き揚げが生じる。一方、補助揚網ローラ２４の軸心高さが上昇し流体圧シリンダ４６を縮めることで、補助揚網ローラ２４を通過する漁網１５を押えローラ１６で押圧できるようになって、Ｖ形ドラム１３を通過する漁網１５の網５４部分を強制的に引くことができる。これによって、漁網１５に顕著な弛みが発生した場合、この弛みを効率的に解消できる。
【００３４】
網５４部分の弛みが解消すると、図６に示すように、流体圧シリンダ２１、４６を連携して駆動させることにより、Ｖ形ドラム１３と補助揚網ローラ２４を通過する漁網１５を押さえローラ１６で同時に押圧して漁網１５の揚網効率を向上させ、網５４部分の引き揚げに遅れが生じてくると、図７に示すように、押えローラ１６をＶ形ドラム１３と補助揚網ローラ２４を通過する漁網１５から離脱させ、補助揚網ローラ２４の軸心高さを調整して、浮子５５にスリップ加減を調整しながら網５４部分の引き揚げを行なって、漁網１５の弛みを解消するようにする。そして、弛みが解消すると、図６に示す高揚網効率の引き揚げを再開することを繰り返す。一方、浮子５５をスリップさせて網５４部分の引き揚げだけを行なっても漁網１５の弛みが解消しない場合は、図８に示すように、補助揚網ローラ２４の軸心高さを上昇させて、浮子５５にスリップを起こさせると共に、補助揚網ローラ２４を通過する漁網１５を押えローラ１６で押圧してＶ形ドラム１３を通過する漁網１５の網５４部分を強制的に引いて弛みを解消する。そして、弛みが解消すると、図６に示す高揚網効率の引き揚げを再開することを繰り返す。なお、引き揚げられた漁網１５は、図１に示すように、揚網用の補助ローラ５６を経由して網台５７上に積み重ねられる。
【００３５】
図９に示すように、本考案の第２の実施の形態に係る漁網用揚網装置５８は、左右両側の支持枠５９と、左右両側の支持枠５９にそれぞれ取付けられた第３の軸受ハウジング６０に両側を支持される固定軸で支持されて回転駆動されるＶ形ドラム６１と、一方の支持枠５９の上側にその基部が回動可能に配置された第２のアーム６２の先部に第２の軸受ハウジング６３を介して設けられ、回転駆動してＶ形ドラム６１の溝部６４にある漁網（図示せず）を押圧する押さえローラ６５と、Ｖ形ドラム６１の固定軸の一側に設けられた回動基部を構成する軸受に第１の駆動源の一例である流体圧シリンダ６６によって回動可能な第１のアーム６７の基側が取付けられ、Ｖ形ドラム６１の軸心より低い位置にある第１のアーム６７の先側に第１の軸受ハウジング６８を介して回転可能に設けられた補助揚網ローラ６９とを有している。そして、左右両側の支持枠５９の下部には固定用取付けベース７０が設けられ、固定用取付けベース６０に固定される回動駆動手段７１を介して、漁船の船尾に配置されている網台７２の取付け部７３に固定されている。
【００３６】
第１のアーム６７は「く」字状に曲がって、その曲がり部７４に流体圧シリンダ６６の一端が取付け金具を介して取付けられ、流体圧シリンダ６６の他端は一方の支持枠５９に取付け金具を介して取付けられている。また、第２のアーム６２の中間部と第１のアーム６７の中間部（曲がり部７４）には、第２の駆動源の一例である流体圧シリンダ７５の両端部が取付け金具を介して接続されている。そして、前記したＶ形ドラム６１の幅方向の中心は、補助揚網ローラ６９のドラムの幅方向中心位置と実質的に（幅方向距離の１／１０の精度で）一致している。なお、Ｖ形ドラム６１の幅方向の中心は、補助揚網ローラ６９のドラムの幅方向内にあればよい。
【００３７】
ここで、Ｖ形ドラム６１及び押さえローラ６５は、第１の実施の形態に係る漁網用揚網装置１０で使用したＶ形ドラム１３及び押さえローラ１６と実質的に同一の構成とすることができる。また、補助揚網ローラ６９は、第１の実施の形態に係る漁網用揚網装置１０で使用した補助揚網ローラ２４からガイド部材４２、４３を取除いた構成とすることができる。従って、同一の構成部材には同一の符号を付して詳細な説明は省略する。なお、図９では、Ｖ形ドラム６１を回転駆動する第３のモータの記載を省略している。
また、本考案の第２の実施の形態に係る漁網用揚網装置５８の使用方法は、第１の実施の形態に係る漁網用揚網装置１０と同一なので、説明は省略する。なお、固定用取付けベース７０を介して漁船の船尾に側に取付けられた漁網用揚網装置５８では、引き揚げられる漁網の負荷が、漁網用揚網装置１０の場合と比して低重心となる。このため、荒天時の揚網では、安全操業が更に確保できる。
【００３８】
以上、本考案を、実施の形態を参照して説明してきたが、本考案は何ら上記した実施の形態に記載した構成に限定されるものではなく、特許請求の範囲に記載されている事項の範囲内で考えられるその他の実施の形態や変形例も含むものである。
【図面の簡単な説明】
【００３９】
【図１】本考案の第１の実施の形態に係る漁網用揚網装置を漁船の傾動マストに吊り下げた状態を示す説明図である。
【図２】同漁網用揚網装置の正面図である。
【図３】同漁網用揚網装置の側面図である。
【図４】同漁網用揚網装置の正断面図である。
【図５】（Ａ）、（Ｂ）は同漁網用揚網装置の使用方法の説明図である。
【図６】同漁網用揚網装置の使用方法の説明図である。
【図７】同漁網用揚網装置の使用方法の説明図である。
【図８】同漁網用揚網装置の使用方法の説明図である。
【図９】本考案の第２の実施の形態に係る漁網用揚網装置を漁船の船尾に取付けた状態を示す説明図である。
【符号の説明】
【００４０】
１０：漁網用揚網装置、１１、１２：支持枠、１３：Ｖ形ドラム、１４：溝部、１５：漁網、１６：押さえローラ、１７：吊下げ用取付け部材、１８：漁船、１９：傾動マスト、２０：固定軸、２１：流体圧シリンダ、２２：第１のアーム、２３、２３ａ：第１の軸受ハウジング、２４：補助揚網ローラ、２４ａ：ドラム、２５：曲がり部、２７、２７ａ：軸受、２７ｂ：軸受ケース、２８、２８ａ：第３の軸受ハウジング、２９：第３のモータ、３０：小歯車、３１、３１ａ：側板、３２：内周歯、３３、３３ａ：摩擦部材、３４：固定軸、３５、３５ａ：軸受、３６：第２のモータ、３７：小歯車、３８、３８ａ：側板、３９：外周歯、４０、４１：枠フレーム、４２、４３：ガイド部材、４４：第２のアーム、４５：第２の軸受ハウジング、４６：流体圧シリンダ、４７：ゴム製タイヤ、４８：回転筒、４８ａ：固定軸、４９：軸受、５０：第１のモータ、５１：小歯車、５２：外周歯、５３：ロープ、５４：網、５５：浮子、５６：補助ローラ、５７：網台、５８：漁網用揚網装置、５９：支持枠、６０：第３の軸受ハウジング、６１：Ｖ形ドラム、６２：第２のアーム、６３：第２の軸受ハウジング、６４：溝部、６５：押さえローラ、６６：流体圧シリンダ、６７：第１のアーム、６８：第１の軸受ハウジング、６９：補助揚網ローラ、７０：固定用取付けベース、７１：回動駆動手段、７２：網台、７３：取付け部、７４：曲がり部、７５：流体圧シリンダ
【図１】
0003135281.tif 000003
【図２】
0003135281.tif 000004
【図３】
0003135281.tif 000005
【図４】
0003135281.tif 000006
【図５】
0003135281.tif 000007
【図６】
0003135281.tif 000008
【図７】
0003135281.tif 000009
【図８】
0003135281.tif 000010
【図９】
0003135281.tif 000011